(57)【特許請求の範囲】
【請求項１】
電子増幅器と、
該電子増幅器の出力を該電子増幅器の入力に接続する電気的帰還線と、
１つの電子的帰還線上の複数のノードに接続される複数の電気的ソースと、
該１つの電気的帰還線に入力される電流に応答する形で該電気的ソースを調節するように構成される電子コントローラとを備える、装置。
【請求項２】
請求項１に記載の装置において、
該複数の電気的ソースは、各ノードに接続される電流ソース及び／又は各ノードに接続される電流シンクを含む、装置。
【請求項３】
請求項１又は請求項２に記載の装置において、
該コントローラは、差がプリセット値に進展させるように構成され、該差は、該電子増幅器の入力でのＤＣ電圧から該電子増幅器の出力でのＤＣ電圧を引いたものである、装置。
【請求項４】
請求項１、請求項２、又は請求項３に記載の装置において、
該コントローラは、該電子増幅器の入力ＤＣ電圧がプリセット値に進展させるように構成される、装置。
【請求項５】
請求項１、請求項２、請求項３、又は請求項４に記載の装置において、
該電子コントローラは、該電子的帰還線に入力される電流に応答する形で該電流ソース及びシンクを動作させるように接続される第２の電子増幅器を含む、装置。
【請求項６】
請求項１、請求項２、請求項３、請求項４、又は請求項５に記載の装置において、
該増幅器の１つの入力に接続されるフォトダイオードをさらに備える、装置。
【請求項７】
請求項１、請求項２、請求項３、請求項４、又は請求項５に記載の装置において、
該電子増幅器の第２の出力を該増幅器の第２の入力に接続し、１つ又は複数の第２の抵抗器をその上に有する第２の電気的帰還線と、
該第２の電子的帰還線上のノードに接続される複数の第２の電気的ソースとをさらに備え、
該電子コントローラは、該電気的帰還線の１つへの入力に応答する形で該第２の電気的ソースを調節するように構成される、装置。
【請求項８】
ＡＴＩＡを動作させる方法であって、
ＤＣ成分を有する電流を１つの線形電気的帰還線で受け取るステップを含み、該１つの線形電気的帰還線は、電子増幅器の出力を該電子増幅器の入力に接続し、さらに、
該ＤＣ成分を有する電流を１つの線形電気的帰還線で受け取るステップに応答して、該電流の該ＤＣ成分を、第１の電子的ソースと第２の電子的ソースとの間の該線形電気的帰還線のセグメントから除去するために該第１及び第２の電子的ソースを調節するステップを含み、該第１の電子的ソース及び第２の電子的ソースは、該１つの線形電気的帰還線上の複数のノードに接続される、ＡＴＩＡを動作させる方法。
【請求項９】
請求項８に記載の方法において、
該入力される電流をソース又はシンクするために一組の電流シンク又は電流ソースを動作させるステップをさらに含む、方法。
【請求項１０】
請求項８又は請求項９に記載の方法において、
該調節するステップは、ＤＣ成分が該セグメントから除去されるように該ＤＣ成分をソース又はシンクするために一組の電流ソース又は電流シンクにバイアスをかけるステップをさらに含む、方法。
【発明の詳細な説明】
【技術分野】
【０００１】
本発明は、電子増幅器および電子増幅器を動作させる方法に関する。
【背景技術】
【０００２】
この節は、本発明をよりよく理解するのを容易にする助けとなり得る態様を紹介する。したがって、この節の提示は、この観点から読まれるべきであり、従来技術にあるものまたは従来技術にないものについての了解事項として理解されるべきでない。
【０００３】
図１は、差動能動トランスインピーダンス増幅器（ＡＴＩＡ）１２および逆バイアスのフォトダイオード１４、１６のマッチドペアに基づく例示的な光検出回路１０を示す。光検出回路１０は、２つのフォトダイオード１４、１６に入射する光Ｌ１、Ｌ２の強度の差を測定する。特に、第１および第２のフォトダイオード１４、１６は、それぞれの第１および第２の出力電流Ｉ１、Ｉ２を生成する。第１の出力電流Ｉ１および第２の出力電流Ｉ２の大きさは、それぞれの第１のフォトダイオード１４および第２のフォトダイオード１６に入射する光Ｌ１、Ｌ２の強度を示す。
【０００４】
差動ＡＴＩＡ１２は、電流電圧変換器である。そのため、差動ＡＴＩＡ１２の第１および第２の出力での電圧間の差は、ＡＴＩＡの第１および第２の入力に印加される電流Ｉ１、Ｉ２間の差にほぼ比例する。
【０００５】
差動ＡＴＩＡ１２は、電子差動増幅器１８ならびに第１および第２の電気的帰還線２０、２２を含む。反転電子差動増幅器１８は、例えば演算増幅器のように、高い入力インピーダンス、低い出力インピーダンス、および高い電圧利得を有することもある。各電気的帰還線２０、２２は、抵抗器Ｒを含む。各電気的帰還線２０、２２は、電子差動増幅器１８の出力２４、２６の１つを電子差動増幅器１８の入力２８、３０の対応する１つに電圧反転の形で接続する。それ故に、電気的帰還線２０、２２は、電子差動増幅器１８の動作を安定させることができる負帰還を生成する。加えて、抵抗器Ｒは、ＡＴＩＡ１２に入力される電流が出力電圧を生成することを可能にする受動内部負荷である。そのため、ＡＴＩＡ１２は、電流電圧変換器として機能する。
【０００６】
各フォトダイオード１４、１６は、ＡＴＩＡ１２の入力２８、３０の１つに接続する出力を有する。そのため、ＡＴＩＡ１２は、その差が２つのフォトダイオード１４、１６によって生成される電流間の差を示す２つの電圧を生成することができる。これらの電流の大きさはまた、フォトダイオード１４、１６によって受け取られる光Ｌ１、Ｌ２の強度も示すので、電子差動増幅器１８の２つの出力２４、２６での電圧間の差は、２つのフォトダイオード１４、１６で受け取られる光Ｌ１、Ｌ２の強度間の差の尺度を提供することができる。
【先行技術文献】
【特許文献】
【０００７】
【特許文献１】米国特許出願公開第２００７／００３６５５５号
【特許文献２】米国特許出願公開第２００７／００７１４５６号
【特許文献３】米国特許出願公開第２００８／０１５２３６１号
【発明の概要】
【課題を解決するための手段】
【０００８】
装置は、電子差動増幅器および電気的帰還線、複数の電気的ソース、ならびに電子コントローラを含む。電気的帰還線は、電子増幅器の出力をその入力に接続する。電気的ソースは、電気的帰還線上のノードに接続する。電子コントローラは、電気的帰還線に入力される電流に応答する形で電気的ソースを調節するように構成される。
【０００９】
装置のいくつかの実施形態では、複数の電気的ソースは、各ノードに接続される電流ソースを含む。複数の電気的ソースは、各ノードに接続される電流シンクを含んでもよい。
【００１０】
装置のいくつかの実施形態では、複数の電気的ソースは、各ノードに接続される電流シンクを含む。
【００１１】
装置のいくつかの実施形態では、コントローラは、電子増幅器の入力ＤＣ電圧と電子増幅器の出力ＤＣ電圧との間の差がプリセット値に進展させるように構成される。
【００１２】
装置のいくつかの実施形態では、コントローラは、電子増幅器の入力ＤＣ電圧がプリセット値に進展させるように構成される。
【００１３】
装置のいくつかの実施形態では、電子コントローラは、電子的帰還線に入力される電流に応答する形で電気的ソース、例えば電流ソースおよびシンクを動作させるように接続される第２の電子増幅器を含む。
【００１４】
いくつかの実施形態では、装置は、電子増幅器の１つの入力に接続されるフォトダイオードを含む。
【００１５】
いくつかの特別な実施形態では、装置は、第２の電気的帰還線および複数の第２の電気的ソースを含む。第２の電気的帰還線は、電子増幅器の第２の出力をその第２の入力に接続する。第２の電気的ソースは、第２の電子的帰還線上のノードに接続する。電子コントローラは、電子増幅器の入力の１つでの電流に応答する形で第２の電気的ソースを調節するように構成される。
【００１６】
いくつかのそのような特別な実施形態では、第２の電気的ソースは、各第２のノードに接続される第２の電流ソースを含んでもよい。
【００１７】
いくつかのそのような特別な実施形態では、第２の電気的ソースは、各第２のノードに接続される第２の電流シンクを含んでもよい。
【００１８】
いくつかのそのような特別な実施形態では、電子コントローラは、第１の電子的帰還線に入力される電流に応答する形で第１および第２のソースを動作させるように接続される第２の電子増幅器を含む。
【００１９】
いくつかのそのような特別な実施形態は、第１の帰還線での電流の大きさと第２の帰還線での電流の大きさとの間の差を補償するように構成される電子コントローラをさらに含む。
【００２０】
ＡＴＩＡを動作させる方法は、ＤＣ成分を有する電流を線形電気的帰還線に入力するステップと、第１および第２の電子的ソースを調節するステップとを含む。
【００２１】
線形電気的帰還線は、電子増幅器の出力を電子増幅器の入力に接続する。調節するステップは、受け取るステップに応答して電流のＤＣ成分をソース間の線形電気的帰還線のセグメントから除去する。ソースは、線形電気的帰還線上のノードに接続する。
【００２２】
いくつかの実施形態では、本方法は、前記入力される電流をソースまたはシンクするために一組の電流シンクまたは電流ソースを動作させるステップをさらに含む。
【００２３】
本方法のいくつかの実施形態では、調節するステップは、電子増幅器の入力で電圧を受け取るように接続される１つの入力を有しかつ基準電圧を受け取るように接続される第２の入力を有する電子増幅器を使って前記ソースのための１つまたは複数の制御電圧を発生させるステップを含む。
【００２４】
本方法のいくつかのそのような特別な実施形態では、調節するステップは、ＤＣ成分がセグメントから除去されるようにＤＣ成分をソースまたはシンクするために一対の電流ソースまたは電流シンクにバイアスをかけるステップをさらに含む。
【図面の簡単な説明】
【００２５】
【図１】能動トランスインピーダンス増幅器（ＡＴＩＡ）が第１および第２の受け取られる光強度の差を測定するために使用されてもよい構成を例示する回路図である。
【図２】ＡＴＩＡの第１の実施形態がツーエンド方式で駆動される構成を例示する回路図である。
【図３】図２のＡＴＩＡがシングルエンド方式で駆動される構成を例示する略図である。
【図４】単一出力ＡＴＩＡの実施形態を含む構成を例示する回路図である。
【図５Ａ】ＡＴＩＡの第３の実施形態がツーエンド方式で駆動される構成を例示する回路図である。
【図５Ｂ】ＡＴＩＡの第３の実施形態がツーエンド方式で駆動される構成を例示する回路図である。
【図５Ｃ】図５Ａ〜５ＢのＡＴＩＡの第３の実施形態がシングルエンド方式で駆動される構成を例示する回路図である。
【図６】ＡＴＩＡの第４の実施形態がシングルエンドまたはツーエンド方式で駆動されてもよい構成のための回路図を例示する図である。
【図７】ＡＴＩＡ、例えば図２〜４、５Ａ〜５Ｃ、および６のいずれかで示されるようなＡＴＩＡを動作させる方法を例示する流れ図である。
【発明を実施するための形態】
【００２６】
図およびテキストでは、類似の参照記号は、同様のもしくは同じ機能および／または構造を持つ要素を示す。
【００２７】
図では、いくつかの特徴の相対寸法は、構造またはその中の特徴の１つもしくは複数をより明瞭に例示するために誇張されることもある。
【００２８】
本明細書では、さまざまな実施形態は、図および「発明を実施するための形態」によってより完全に述べられる。それにもかかわらず、本発明は、さまざまな形態で具体化されてもよく、図および「発明を実施するための形態」で述べられる実施形態に限定されない。
【００２９】
本明細書では、能動トランスインピーダンス増幅器（ＡＴＩＡ）は、能動電流電圧変換器のことである。ＡＴＩＡは、能動電圧増幅器、例えば演算増幅器（オペアンプ）、および能動電圧増幅器に負帰還を提供する１つまたは複数の電気線を含む。
【００３０】
ＡＴＩＡの動作構成は通常、１つもしくは複数のＤＣまたはほとんどＤＣのバイアス電圧によって決定される。ここで、ほとんどＤＣの電圧は、非常にゆっくり、例えばＡＴＩＡを動作させることになる範囲の周波数よりも何桁も遅く変化する。ＡＴＩＡの入力（複数可）および／または出力（複数可）でのＤＣおよびほとんどＤＣの電圧（複数可）は、そのようなバイアス電圧（複数可）であってもよい。そのため、ＡＴＩＡの入力（複数可）または出力（複数可）でのＤＣおよびほとんどＤＣの電圧（複数可）は、ＡＴＩＡの所望の動作構成を作成するための値（複数可）に設定され、急速に進展される必要があることもある。
【００３１】
ＡＴＩＡの入力に接続するデバイスは、ＡＴＩＡの入力および／または出力でのＤＣもしくはほとんどＤＣの電圧を設定できるまたは変えることができる。実際は、そのようなデバイスは、ＡＴＩＡの入力でのＤＣ電圧バイアスを設定することもあり、そのようなデバイスの出力電流は、ＡＴＩＡの帰還線に起因してＡＴＩＡの出力でのＤＣ電圧バイアスを設定することもある。加えて、そのようなデバイスのＤＣ出力電流および／または電圧の遅い変動は、ＡＴＩＡの入力および／または出力でのＤＣバイアスを望ましくなく変えることもある。そのような変動は、そのようなデバイスの環境条件の予期しない変化から結果として生じることもある。
【００３２】
例として、図１の光検出回路１０は、その動作構成の望ましくない変化の影響を受けやすいこともある。特に、フォトダイオード１４、１６は、例えばフォトダイオード１４、１６が逆バイアスをかけられるように、ＤＣ電圧ソースＶによってバイアスをかけられる。フォトダイオード１４、１６のＤＣ出力電流Ｉ１、Ｉ２の値は、電子差動増幅器１８の入力２８、３０でのＤＣバイアス、すなわち入力コモンモード電圧ＶＸに影響を及ぼす。加えて、帰還線２０、２２に起因して、同じＤＣ出力電流Ｉ１、Ｉ２はまた、電子差動増幅器１８の出力２４、２６でのＤＣバイアス、すなわち出力コモンモード電圧ＶＹにも影響を及ぼす。加えて、フォトダイオード１４、１６の出力電流Ｉ１、Ｉ２の遅い一時的な変動は、電子差動増幅器１８の入力２８、３０および／または出力２４、２６でのＤＣバイアスを変える可能性がある。それ故に、ＡＴＩＡ１２の動作構成は、フォトダイオード１４、１６からのＤＣ出力電流Ｉ１、Ｉ２の影響を受けやすい。実際は、これらの入力特性は、ＡＴＩＡ１２の動作点を望ましくなく低いダイナミック・レンジおよび／または受け入れ難い線形性を持つ構成に設定することもある。ＤＣバイアス構成を適切に設定するそのような問題は、大きな帰還抵抗器Ｒが、低雑音設計を達成するためにＡＴＩＡ１２で使用されるときは、より厳しくなると思われる。例えば、そのようなバイアス問題は、低雑音構成での入力および出力ＤＣコモンモード電圧ＶＸ、ＶＹの大きさでの結果として生じる大きな差に起因してより厳しくなることもある。
【００３３】
例示される実施形態のいくつかは、ＡＴＩＡの電子差動増幅器のためのより望ましい入力および／または出力ＤＣバイアス条件を作成するために、一定のまたはゆっくり変動する入力電流の異なる値を補償することができる。
【００３４】
図２は、ＡＴＩＡ４２、すなわち動作周波数範囲にわたって近似的線形応答を有する能動電流電圧変換器を含む電子回路４０の実施形態を例示する。ＡＴＩＡ４２は、２つの入力デバイス４４、４６から電流を受け取るように接続されるので、ＡＴＩＡ４２は、ツーエンド構成で動作するように構成される。ＡＴＩＡ４２は、その差が動作周波数の事前選択範囲にわたって入力デバイス４４、４６からの電流間の差にほぼ比例する、一対の電圧を出力するように構成されてもよい。例えば、入力デバイス４４、４６は、第１および第２の整合かつ逆バイアスのフォトダイオードであってもよく、その結果ＡＴＩＡ４２は、その差が動作周波数の事前選択範囲で第１および第２のフォトダイオードに入射する光強度Ｌ１、Ｌ２間の差にほぼ比例する、第１および第２の電圧を出力する。入力デバイス４４、４６は、さまざまなＤＣバイアスでさまざまなＤＣ電流を出力することができるので、入力デバイス４４、４６の動作特性の一般的な値は、ＡＴＩＡのために望ましくないバイアス構成を作成することもあり、またはそのような望ましくないバイアス構成を作成するようにゆっくり変動することもある。ＡＴＩＡ４２のいくつかの実施形態は、ＡＴＩＡ４２がなお事前選択の望ましい動作構成を有するように、入力デバイス４４、４６の動作特性の比較的一般的な値を補償することができる。実際は、ＡＴＩＡ４２は、ＡＴＩＡ４２が所望の動作構成にとどまるように、異なる種類の入力デバイス４４、４６の出力特性間の差を補償してもよくかつ／または入力デバイス４４、４６のＤＣ出力特性を一時的に安定させてもよい。
【００３５】
ＡＴＩＡ４２は、電子差動増幅器４８、上側および下側分散電気的帰還線５０、５２、ならびに電子コントローラ５４を含む。
【００３６】
電子差動増幅器４８は、入力５６、５８および出力６０、６２を有する。電子差動増幅器４８は、例えば高い入力インピーダンス、低い出力インピーダンス、および／または高い電圧利得を有してもよく、前記動作特性は、低いまたはＤＣ周波数からＡＴＩＡ４２の事前選択動作範囲の上限での周波数に至るまで当てはまる。例として、電子差動増幅器４８は、約０ヘルツから約１ギガヘルツ以上の周波数範囲にわたって従来の演算増幅器として機能する。
【００３７】
各分散電気的帰還線５０、５２は、電子差動増幅器４８の出力６０、６２の１つを電子差動増幅器４８の相対的に反転した入力５６、５８に接続する帰還抵抗器Ｒ、Ｒ’を含む。帰還抵抗器Ｒ、Ｒ’は、ほぼ同じ抵抗を有してもよくまたは異なる抵抗を有してもよい。上側および下側分散電気的帰還電気線５０、５２は、電子差動増幅器４８の動作を安定させることができる負帰還を提供する。帰還抵抗器Ｒ、Ｒ’はまた、ＡＴＩＡ４２が入力電流を出力電圧に変換し、それによって能動電流電圧変換器として機能することを可能にする受動内部負荷でもある。他の実施形態では、抵抗器Ｒ、Ｒ’は、より一般的なインピーダンスを持つ２ポート・デバイスであってもよく、その２ポート・デバイスは、低周波数で抵抗器Ｒ、Ｒ’として振る舞う。
【００３８】
各分散電気的帰還線５０、５２はまた、インダクタ７２、７４、７６、７８を介してその上の帰還抵抗器Ｒ、Ｒ’の両側に接続する一対の可変ＤＣ電圧ソース６４、６６、６８、７０も含む。特に、各インダクタ／可変ＤＣ電圧ソース、すなわち対（７２／６４）、（７４／６６）、（７６／６８）、および（７８／７０）は、低周波数では可変電圧ソースを形成し、高周波数では、例えばＡＴＩＡ４２の事前選択動作範囲の周波数では接地への高インピーダンス接続を形成する。
【００３９】
対（７２／６４）、（７４／６６）、（７６／６８）、および（７８／７０）は、電子差動増幅器４８の入力５６、５８および出力６０、６２でのＤＣ電圧バイアスを調節するように制御可能である。例えば、対（７２／６４）、（７４／６６）、（７６／６８）、および（７８／７０）の１つの出力電圧を個々に調節することは、その対が直接接続される電子差動増幅器４８の入力５６、５８または出力６０、６２の１つでのＤＣバイアスの調節を可能にする。加えて、可変ＤＣ電圧ソース６４、６６、６８、７０は、それらのより高い動作周波数では大きなインピーダンスを介してＲおよびＲ’を通じての線形電気的帰還線に接続するので、可変ＤＣ電圧ソース６４、６６、６８、７０は、ＡＴＩＡ４２のより高い動作周波数では抵抗器ＲおよびＲ’を介した帰還にせいぜい小さな影響をもたらすようにセットアップされてもよい。例えば、インダクタ７２、７４、７６、７８は、例えば、事前選択周波数動作範囲で帰還抵抗器Ｒ、Ｒ’の抵抗の１０倍以上であるインピーダンスを有するように選択されてもよく、その結果ＲおよびＲ’を介した帰還への可変ＤＣ電圧ソース６４、６６、６８、７０の直接の影響は、この周波数範囲では小さい。
【００４０】
電子コントローラ５４は、電子差動増幅器４８の入力（複数可）５６、５８および／または出力（複数可）６０、６２でのＤＣ電圧（複数可）を事前選択の所望の値に設定しかつ／または維持するように可変ＤＣ電圧ソース６４、６６、６８、７０を動作させる。すなわち、電子コントローラ５４は、電圧バイアスをかけられた入力デバイス４４、４６からのＤＣ電流の存在下で電子差動増幅器４８のＤＣバイアスを適切に設定しかつ／または一時的に安定させるように可変ＤＣ電圧ソース６４、６６、６８、７０の出力電圧を制御する。電子コントローラ５４は、入力デバイス４４、４６の未知のかつ／またはゆっくり変動するＤＣ特性（複数可）にもかかわらず電子差動増幅器４８のバイアス構成を容認可能に設定し、安定させることができる。
【００４１】
そのようなバイアス補償を作成するために、電子コントローラ５４は、各帰還抵抗器Ｒ、Ｒ’の片側または両側で低周波数またはＤＣ電圧を効果的に測定してもよく、例えば、入力および出力ＤＣコモンモード電圧ＶＸ、ＶＹが、測定されてもよく、または差ＶＸ−ＶＹが、測定されてもよい。電子コントローラ５４は、可変電圧ソース６４、６６、６８、７０の出力電圧を調節して、電子差動増幅器４８の所望のバイアス構成のために前記測定されたＤＣ電圧（複数可）と前記ＤＣ電圧（複数可）のための事前選択の所望の値との間の差を低減する。結果として、ＡＴＩＡ４２のＤＣ動作またはバイアス点は、入力デバイス４４、４６の出力ＤＣ電流（複数可）およびＤＣバイアスの未知のかつ／または時間変動する環境の存在下で適切に初期化されかつ／または一時的に安定化されてもよい。
【００４２】
実際は、バイアス補償は、帰還抵抗器Ｒ、Ｒ’でのＤＣもしくはほとんどＤＣの電流の符号（複数可）および／または大きさ（複数可）を調節することを含んでもよい。そのようなＤＣまたはほとんどＤＣの電流の符号は、同じ分散電気的帰還線５０、５２の２つの可変ＤＣ電圧ソース６４、６６、６８、７０を調節して、それらの出力電圧の相対的な大きさを交換することによって反転されてもよい。そのようなＤＣまたはほとんどＤＣの電流の大きさは、同じ帰還抵抗器Ｒ、Ｒ’の両側に接続する２つの可変ＤＣ電圧ソース６４、６６、６８、７０を調節して、それらの出力電圧の比の大きさを一緒に増加させる（減少させる）ことによって増加され（減少され）てもよい。
【００４３】
各入力デバイス４４、４６は、電子差動増幅器４８の入力５６、５８の１つに接続するので、電子差動増幅器４８の出力電圧間の差は、入力デバイス４４、４６からの電流間の差を示してもよい。それ故に、可変ＤＣ電圧ソース６４、６６、６８、７０を通じての接地への接続を無視するのに十分に高い周波数では、電子差動増幅器４８の出力６０、６２での電圧間の差は、入力デバイス４４、４６からの電流間のほぼ比例する差を示してもよい。
【００４４】
いくつかの実施形態では、入力デバイス４４、４６は、それらの出力電流の大きさがそれに入射する光Ｌ１、Ｌ２の強度にほぼ比例するように逆バイアスをかけられたフォトダイオードである。そのとき、ＡＴＩＡ４２の出力６０、６２での電圧間の差は、事前選択周波数動作範囲でそのようなフォトダイオードに受け取られる光強度間の差の良い尺度であってもよい。
【００４５】
例として、ＡＴＩＡ４２は、１００メガヘルツ以上のシンボル・レートでまたは１ギガヘルツ以上のシンボル・レートでさえＱＰＳＫシンボルを運ぶように変調される光搬送波を受け取り、復号するように構成されるコヒーレント受光器の一部であってもよい。そのような受光器では、第１および第２の入力デバイス４４、４６は、光ハイブリッドの２つの光出力からの光Ｌ１、Ｌ２を検出するように接続される整合かつ逆バイアスのフォトダイオードであってもよい。そのような受光器では、整合フォトダイオードによって受け取られる光Ｌ１、Ｌ２間の強度差は、前記光Ｌ１、Ｌ２を生成する光搬送波上に変調されるＱＰＳＫシンボルの値を示してもよくまたはその値は、そのようなＱＰＳＫシンボルを決定するために使用できてもよい。いくつかのそのようなコヒーレント受光器は、個別測定が変調光搬送波の同相および直角位相成分について行われるように、２つのそのような光ハイブリッドを含んでもよい。各光ハイブリッドはそのとき、整合かつ逆バイアスのフォトダイオードの対応する対および関連するＡＴＩＡによって監視されることになる。２つのＡＴＩＡからの出力電圧差は、受け取られた光搬送波上に変調されるＱＰＳＫシンボルの値を決定するためにさらに処理されてもよい。
【００４６】
そのような受光器では、測定された強度差は、そのような光強度差の測定結果をその後のデジタル処理と組み合わせることによってそのようなＱＰＳＫシンボル値を抽出するために使用されてもよい。そのような実施形態では、インダクタ７２、７４、７６、７８は、例えば１００メガヘルツでまたは１ギガヘルツで高いインピーダンスを有してもよい。そのインピーダンスは、帰還抵抗器Ｒ、Ｒ’の抵抗の少なくとも１０倍であってもよく、その結果可変ＤＣ電圧ソース６４、６６、６８、７０を通じての接地接続は、分析されている光搬送波のシンボル変調周波数で抵抗器Ｒ、Ｒ’を介した帰還に実質的に影響を及ぼさない。
【００４７】
いくつかの受光器では、入力デバイス４４、４６が一対の整合かつ逆バイアスのフォトダイオードである回路４０の実施形態は、光ハイブリッドによって出力される光強度のそのような差を測定するために使用されてもよい。受光器のいくつかのそのような例は、米国特許出願公開第２００７００３６５５５号、米国特許出願公開第２００７００７１４５６号、および米国特許出願公開第２００８０１５２３６１号の１つまたは複数で述べられる電子増幅器を図２のＡＴＩＡ４２、以下の図５Ａ〜５ＣのＡＴＩＡ４２’’’、または以下の図６のＡＴＩＡ４２’’’’で置き換えることによって形成されてもよい。上記の３つの米国特許出願公開は、参照によりそれらの全体が本明細書に組み込まれる。
【００４８】
図３および４は、同じＡＴＩＡ４２および別のＡＴＩＡ４２’’がシングルエンド方式で駆動される回路４０’、４０’’を例示する。これらの回路４０’、４０’’のいくつかの実施形態はまた、ＡＴＩＡ４２、４２’’のＤＣバイアスを補償するように構成されてもよい。
【００４９】
図３を参照すると、回路４０’は、図２ですでに例示されるようなＡＴＩＡ４２および入力デバイス４４ならびに新しい入力デバイス４６’を含む。入力デバイス４４は、例えば、バイアス電圧ソースＶとＡＴＩＡ４２の１つの入力との間に接続し、光Ｌ１を受け取るように構成されるフォトダイオードであってもよい。新しい入力デバイス４６’は、例示されるように共通接地をＡＴＩＡ４２のもう一方の入力に接続する従来のコンデンサであってもよくまたは別のデバイス（図示されず）であってもよい。
【００５０】
回路４０’では、ＡＴＩＡ４２は、図２ですでに例示されるのと同じ電子差動増幅器４８、分散電気的帰還線５０、５２および電子コントローラ５４を含む。電子コントローラ５４はなお、ＡＴＩＡ４２の両側で上側および下側分散電気的帰還線５０、５２を制御する。そのため、電子コントローラ５４はなお、ＡＴＩＡ４２を適切なバイアス構成でセットアップしてもよく、またなおＡＴＩＡ４２を前記バイアス構成で一時的に安定させてもよい。バイアス構成は、ＡＴＩＡ４２の出力電圧間の差が事前選択動作周波数範囲にわたってフォトダイオード４４に受け取られる光Ｌ１の強度に近似的に比例するように事前選択されてもよい。
【００５１】
図４を参照すると、回路４０’’は、ＡＴＩＡ４２’’および入力デバイス４４を含む。
【００５２】
回路４０’’では、入力デバイス４４は、例えば、バイアス電圧ソースＶとＡＴＩＡ４２’’の上側入力５６との間に接続する逆バイアスのフォトダイオードであってもよい。フォトダイオードは、光Ｌ１を受け取るように構成される。
【００５３】
回路４０’’では、入力デバイス４６’’は、共通接地とＡＴＩＡ４２’’の下側入力５８との間に接続する抵抗器Ｒ’’である。
【００５４】
回路４０’’では、ＡＴＩＡ４２’’は、単一出力電子差動増幅器４８’’、上側分散電気的帰還線５０、および電子コントローラ５４’’を含む。
【００５５】
電子差動増幅器４８’’は、例えば、低周波数から上側の所望の動作周波数まで高い入力インピーダンス、低い出力インピーダンス、および／または高い電圧利得を有する、従来の増幅器とすることができる。例えば、電子差動増幅器４８’’は、従来の演算増幅器であってもよい。
【００５６】
分散電気的帰還線５０は、図２〜３に関してすでに述べられている形態を有する。分散電気的帰還線５０は、電子差動増幅器４８’’の出力を出力６０に関して反転される電子差動増幅器４８’’の入力５６に接続する。すなわち、帰還線５０は、安定化負帰還を提供する。帰還線５０は、ＡＴＩＡ４２’’がその所望の動作周波数範囲で能動電流電圧変換器として機能するのに必要とされる負荷を提供する抵抗器Ｒを含む。
【００５７】
電子コントローラ５４’’は、電子差動増幅器４８’’の入力および出力ＤＣまたはほとんどＤＣのバイアス電圧が所望の動作構成にセットアップされかつ／または一時的に安定化されるように、ＡＴＩＡ４２’’の帰還線５０を制御する。電子コントローラ５４’’は、電子差動増幅器４８’’の入力５６および出力６０でのＤＣまたはほとんどＤＣの電圧を効果的に測定し、可変ＤＣ電圧ソース６４、６６を調節して、電子差動増幅器４８’’のための事前選択の入力および出力ＤＣバイアスをセットアップしかつ／または維持してもよい。帰還線５０に関する電子コントローラ５４’’の動作は、図２〜３の電子コントローラ５４の上述の動作から当業者には容易に理解されよう。各電子コントローラ５４、５４’’は、同様の技術を使用して電子差動増幅器４８、４８’’のためのＤＣバイアス（複数可）をセットアップしかつ／または安定させる。電子コントローラ５４’’は、ＡＴＩＡ４２’’の出力電圧ＶｏｕｔがＡＴＩＡ４２’’のための事前選択動作周波数範囲でフォトダイオード４４に入射する光Ｌ１の強度に近似的に比例するように、電子差動増幅器４８’’のバイアス構成をセットアップしかつ／または維持してもよい。
【００５８】
図５Ａ〜５Ｃは、ＡＴＩＡ４２’’’の第３の実施形態の例示的な安定最終状態４０Ａ〜４０Ｃを示し、安定最終状態は、さまざまな方法でＡＴＩＡ４２’’’を駆動することによって生成される。図５Ａ〜５Ｂの構成４０Ａ〜４０Ｃでは、各入力デバイス４４、４６は、安定最終状態で同じＤＣ出力電流、すなわち図５Ａでは出力電流＋ＩＰＤおよび図５Ｂでは出力電流−ＩＰＤを生成する。これらの回路では、第１および第２の入力デバイス４４、４６は、例えば、同様にまたは同一に逆バイアスをかけられる同様のまたは同一のフォトダイオードであってもよい。図５Ｃの構成では、単一入力デバイス４４’は、安定最終状態で＋ＩＰＤのＤＣ出力電流を生成する。
【００５９】
図５Ａ〜５Ｃでは、ＡＴＩＡ４２’’’は、電子差動増幅器４８、上側および下側分散電気的帰還線５０’’’、５２’’’、ならびにコントローラ５４’’’を含む。
【００６０】
電子差動増幅器４８は、例えば、図２〜３で例示される電子差動増幅器のいずれかであってもよい。電子差動増幅器４８は、例えば、ゼロ周波数から１００メガヘルツ以上または１ギガヘルツ以上さえの周波数まで演算増幅器として機能するために、高い入力インピーダンス、低い出力インピーダンス、および／または高い利得を有してもよい。
【００６１】
上側（下側）分散電気的帰還線５０’’’（５２’’’）は、上側（下側）線形電気的帰還線９０（９２）、一対のＤＣ電流シンク１、および一対のＤＣ電流ソース２を含む。上側（下側）線形電気的帰還線９０（９２）は、電子差動増幅器４８の上側（下側）出力を電子差動増幅器４８の上側（下側）入力に相対的に反転される形で接続する。
【００６２】
上側および下側線形電気的帰還線９０、９２の各々は、一連の３つ以上の直列に接続される抵抗器、例えば抵抗器Ｒ１、抵抗器Ｒ２＋Ｒ３、および抵抗器Ｒ４によって形成される。その並びでは、抵抗器Ｒ１、Ｒ４は、中央の抵抗器Ｒ２＋Ｒ３の両側に、すなわちノードＸおよびＹで接続する。抵抗器Ｒ１およびＲ４は、同じまたはほとんど同じ抵抗を有する。
【００６３】
ＤＣ電流ソース２の各対は、ノードＸで対応する上側または下側線形電気的帰還線９０、９２に接続する１つのＤＣ電流ソース２およびノードＹで同じ上側または下側線形電気的帰還線９０、９２に接続するもう１つの実質的に同一のＤＣ電流ソース２を含む。ＤＣ電流シンク１の各対は、ノードＸで対応する上側または下側線形電気的帰還線９０、９２に接続する１つのＤＣ電流シンク１およびノードＹで同じ上側または下側線形電気的帰還線９０、９２に接続するもう１つの実質的に同一のＤＣ電流シンク１を含む。すなわち、第１のＤＣソース−シンク対は、線形電気的帰還線９０、９２のノードＸに直接接続し、第２のＤＣソース−シンク対は、同じ線形電気的帰還線９０、９２のノードＹに直接接続する。各ＤＣ電流シンク１は、印加されるＤＣバイアスの増加に応答してその電流シンク動作を増加させてもよく、印加されるＤＣバイアスの減少に応答してその電流シンク動作を減少させてもよい。同様に、各ＤＣ電流ソース２は、印加されるＤＣバイアスの増加に応答してその出力電流を増加させてもよく、印加されるＤＣバイアスの減少に応答してその出力を減少させてもよい。
【００６４】
電子コントローラ５４’’’は、上側線形電気的帰還線９０を制御する上側電子差動増幅器９４および下側線形電気的帰還線９２を制御する下側電子差動増幅器９６を含む。上側および下側電子差動増幅器９４、９６は、例えば、電子差動増幅器４８の構造および／または構成に似たもしくは同一である構造および／または構成を有してもよい。上側（下側）電子差動増幅器９４、９６の入力は、低域通過フィルターＬＰＦ、例えばＲＣ回路またはインダクタを介して上側（下側）帰還線９０、９２のノードＸおよびＹと交差して接続する。それ故に、上側（下側）電子差動増幅器９４（９６）に入力されるＤＣ電圧ＶＹ’、ＶＸ’間の差ＶＹ’−ＶＸ’は、対応する上側（下側）線形電気的帰還線９０（９２）でのノードＹのＤＣ電圧とノードＸのＤＣ電圧との間の差に比例する。上側（下側）電子差動増幅器９４（９６）の非反転出力は、上側（下側）線形電気的帰還線９０（９２）のＤＣ電流シンク１の対の制御またはバイアス入力に接続する。上側（下側）電子差動増幅器９４（９６）の反転出力は、上側（下側）線形電気的帰還線９０（９２）のためのＤＣ電流ソース２の対のための制御またはバイアス入力に接続する。
【００６５】
電子コントローラ５３’’’の上側および下側部分は、同じ構造を有する。また、電子コントローラ５４’’’の上側（下側）部分は、ＡＴＩＡ４２’’’のＤＣ上側（下側）入力および出力電圧も制御する。すなわち、コントローラ５４’’’の上側および下側部分は、同じプロセスおよび同じ種類の素子を使用して、ＡＴＩＡ４２’’’のそれぞれの上側ＤＣバイアスおよび下側ＤＣバイアスが安定最終状態に個別に進展させる。
【００６６】
ＡＴＩＡ４２’’’では、電子コントローラ５４’’’は、電子差動増幅器４８のＤＣバイアスが安定最終状態に進展させる。安定最終状態では、電子差動増幅器４８の上側入力および上側出力でのＤＣ電圧ＶＹ、ＶＸ間のどんな初期の差も、ゼロにまたはゼロに近い値に進展している。安定最終状態では、電子差動増幅器４８の下側入力および下側出力でのＤＣ電圧ＶＹ、ＶＸ間のどんな初期の差も、ゼロにまたはゼロに近い値に進展している。電子コントローラ５４’’’は、以下で述べられるようにＡＴＩＡ４２’’’の回路素子に最終状態条件を課すことによって電子差動増幅器４８のＤＣバイアスをそのような安定最終状態に進展させる。
【００６７】
最初に、電子コントローラ５４’’’の上側（下側）部分は、上側（下側）ＤＣ電流ソース２および／または上側（下側）ＤＣ電流シンク１に、上側（下側）線形電気的帰還線９０（９２）の抵抗器Ｒ１およびＲ４を通って流れるＤＣ電流（複数可）をソースおよび／またはシンクさせる。ソース動作および／またはシンク動作は、実質的に電流が安定最終状態では抵抗器Ｒ２およびＲ３を通って流れないように行われる。しかし、そのような安定最終状態では、非常に小さな電流がなお、抵抗器Ｒ２およびＲ３に流れることもあり、そのような小さな電流は、少数のバイポーラ・トランジスタのベース電流および／または少数の電界効果トランジスタのゲート漏れ電流に起因することもある。図５Ａの安定最終状態では、抵抗器Ｒ１に流れるＤＣ電流は、ノードＸに直接接続するＤＣ電流シンク１に行き、抵抗器Ｒ４に流れるＤＣ電流は、ノードＹに直接接続されるＤＣ電流シンク１に行く。図５Ｂの安定最終状態では、抵抗器Ｒ１に流れるＤＣ電流は、ノードＸに直接接続されるＤＣ電流ソース２から来て、抵抗器Ｒ４に流れるＤＣ電流は、ノードＹに直接接続されるＤＣ電流シンク２から来る。図５Ｃの安定最終状態では、上側分散電気的帰還線５０’’’は、図５Ａの同じ安定最終状態を有し、下側分散電気的帰還線５２’’’は、下側ＤＣ電流シンクおよびソース１、２が実質的に電流をシンクまたはソースしない安定最終状態を有する。
【００６８】
第２に、電子コントローラ５４’’’は、上側（下側）対の各ＤＣ電流ソース２に同じＤＣ電流を上側（下側）線形電気的帰還線９０（９２）にソースさせ、上側（下側）対の各ＤＣ電流シンク１に同じＤＣ電流を上側（下側）線形電気的帰還線９０（９２）からシンクさせる。結果として、上側（下側）線形電気的帰還線９０（９２）では、同じ電流が、抵抗器Ｒ１および抵抗器Ｒ４に流れる。これは、上側（下側）線形電気的帰還線９０、９２の抵抗器Ｒ１の両端間でのＤＣ電圧降下が、安定最終状態では同じ上側（下側）線形電気的帰還線９０（９２）の抵抗器Ｒ４の両端間でのＤＣ電圧降下と同じであることを保証する。
【００６９】
上記の理由のため、電子コントローラ５４’’’の上側（下側）部分は、電子差動増幅器４８の上側（下側）ＤＣ出力電圧ＶＹと上側（下側）ＤＣ入力電圧ＶＸとの間の差がゼロの方へ進展させる。線形電気的帰還線９０、９２では、ＤＣ電流シンク１およびＤＣ電流ソース２は、ＡＴＩＡ４２’’’の入力で受け取られるＤＣ電流のさまざまな大きさおよび符号について差動増幅器４８のＤＣバイアスをそのような安定状態に進展させるように制御されることになる。
【００７０】
図５Ａ〜５Ｃは、ＡＴＩＡ４２’’’へのさまざまな入力電流の印加から結果として生じる最終状態４０Ａ〜４０Ｃを例示する。印加される入力電流がない場合は、線形電気的帰還線９０、９２は、電流を運ばないことになり、ＤＣ電流シンクおよびソース１、２は、どんな実質的なＤＣ電流もソースまたはシンクしないことになる。ＡＴＩＡ４２’’’への入力電流（複数可）の印加は最初に、電子差動増幅器（複数可）９４、９６の両端間で電圧（複数可）を生成し、その後、電子差動増幅器４８のＤＣバイアス状態の進展をもたらす。
【００７１】
図５Ａの構成４０Ａでは、入力デバイス４４、４６は、等しい正の入力電流、すなわち＋ＩＰＤをＡＴＩＡ４２’’’の２つの入力に印加し、それによって最初に、ＤＣ電流＋ＩＰＤを、線形電気的帰還線９０、９２を通して流す。帰還電流＋ＩＰＤは最初に、抵抗器Ｒ２＋Ｒ３の両端間で電圧降下をもたらし、次に、電子差動増幅器９４、９６の入力の端間で正の初期電圧差Ｖｘ’−Ｖｙ’を生成する。したがって、電子差動増幅器９４，９６は、最初はゼロ電流をシンクするＤＣ電流シンク１への電圧バイアスを増加させ、最初はゼロ電流をソースするＤＣ電流ソース２への電圧バイアスを減少させる。結果として、ＤＣ電流シンク１は、より多くの電流をシンクし、ＤＣ電流ソース２は、より多くの電流をソースまたは出力しない。電子差動増幅器９４、９６は、最終状態が達成されるまで、ＤＣ電流シンク１への電圧バイアスを増加させ続け、ＤＣ電流ソース２への電圧バイアスを減少させ続ける。図５Ａで例示される最終状態では、各ＤＣ電流シンク１は、ＩＰＤの電流をシンクし、各ＤＣ電流ソースは、ゼロ電流をソースし、ＤＣ電流シンクおよびソース１、２に印加されるバイアス電圧は、最終安定値を有する。
【００７２】
図５Ｂの構成４０Ｂでは、入力デバイス４４、４６は、等しい負の入力電流、すなわち−ＩＰＤをＡＴＩＡ４３’’’の２つの入力に印加し、最初にＤＣ電流−ＩＰＤを、線形電気的帰還線９０、９２を通して流す。帰還電流−ＩＰＤは、抵抗器Ｒ２＋Ｒ３の両端間で電圧降下をもたらし、次に、電子差動増幅器９４、９６の入力の端間で負の初期電圧差Ｖｘ’−Ｖｙ’を生成する。したがって、電子差動増幅器９４、９６は、最初はゼロ電流をシンクするＤＣ電流シンク１への電圧バイアスを減少させ、最初はゼロ電流をソースするＤＣ電流ソース２への電圧バイアスを増加させる。結果として、ＤＣ電流ソース２は、より多くの電流を出力し、ＤＣ電流シンク１は、電流をシンクしない。電子差動増幅器９４、９６は、最終状態が達成されるまで、ＤＣ電流シンク１への電圧バイアスを減少させ続け、ＤＣ電流ソース２への電圧バイアスを増加させ続ける。図５Ｂで例示される最終状態では、各ＤＣ電流ソース２は、−ＩＰＤの電流を出力し、各ＤＣ電流シンク１は、ゼロ電流をシンクし、ＤＣ電流シンクおよびソース１、２に印加されるバイアス電圧は、最終安定値を有する。
【００７３】
図５Ｃの構成４０Ｃでは、入力デバイス４４は、正の入力電流、すなわち＋ＩＰＤをＡＴＩＡ４３’’’の上側入力に印加し、ＡＴＩＡ４２’’’の下側入力は、どんな入力電流も受け取らない。それ故に、電子コントローラ５４’’’の上側部分および上側分散帰還線５０’’’は、図５０Ａでのように機能して、その中で例示される最終状態に達し、電子コントローラ５４’’’の下側部分および下側分散帰還線５２’’’は、ＤＣ入力および出力電流ならびにＤＣソースおよびシンク電流がそれらの初期値のままである初期状態にとどまる。
【００７４】
図６は、ＡＴＩＡ４２’’’’の第４の実施形態のためのさまざまな駆動構成４０’’’’を例示する。駆動構成４０’’’’は、シングルエンドまたはダブルエンドであってもよい。特に、いくつかの駆動構成は、２つの入力デバイス４４、４６を含み、他の駆動構成は、上側入力デバイス４４だけを含む。第３のＡＴＩＡ４２’’’’は、ＤＣ入力電圧（複数可）およびＤＣ出力電圧（複数可）の両方の制御を可能にする。
【００７５】
ＡＴＩＡ４２’’’’は、主要電子差動増幅器４８、上側および下側分散帰還線５０’’’’、５２’’’’、上側電子コントローラ５４’’’’、ならびに電子オフセット・コントローラ１００を含み、オプションとして出力電子増幅器またはバッファ９８を含む。
【００７６】
主要電子差動増幅器４８は、図２〜３および５Ａ〜５Ｃに関してすでに述べられている。
【００７７】
上側および下側分散電気的帰還線５０’’’’、５２’’’’は、図５Ａ〜５Ｃの上側および下側分散帰還線５０’’’、５２’’’についてすでに述べられているように、抵抗器Ｒ１〜Ｒ４、ＤＣ電流シンク１、およびＤＣ電流ソース２を備える線形電気的帰還線を含む。加えて、上側（下側）分散帰還線５０’’’’、５２’’’’は、上側（下側）オフセットＤＣ電流シンク３および上側（下側）オフセットＤＣ電流ソース４を含む。オフセットＤＣ電流シンクおよびソース３、４は、電流が線形電気的帰還線９０、９２を通過しない初期状態では、どんな実質的なＤＣ電流もシンクまたはソースしない。オフセットＤＣ電流シンク３によってシンクされる電流の大きさは、印加される制御またはバイアス電圧が増加する場合、増加することができ、印加される制御またはバイアス電圧が減少する場合、減少することができる。オフセットＤＣ電流ソース４によってソースされる電流は、印加される制御またはバイアス電圧が増加する場合は増加することができ、印加される制御またはバイアス電圧が減少する場合は減少してもよい。
【００７８】
上側電子コントローラ５４’’’’は、図５Ａ〜５Ｃでの電子コントローラ５４’’’の上側部分についてすでに述べられているように、その２つの入力に低域通過フィルターＬＰＦを備える電子差動増幅器９４、例えば演算増幅器を含む。低域通過フィルターＬＰＦは別法として、電子差動増幅器９４の出力に位置することができる（図示されず）。上側電子コントローラ５４’’’’はまた、その１つの入力に接続される基準ＤＣ電圧ソースＶＲＥＦも含む。基準ＤＣ電圧ソースＶＲＥＦは、例えば、従来の固定電圧ソースまたはＡＴＩＡ４２’’’’の部分複写回路であってもよい。部分複写回路は、例えば、上側電子コントローラ５４’’’’ならびにそれによって制御されるＤＣ電流ソース２およびＤＣ電流シンク１のない同じ回路とすることもあり得る。部分複写回路では、ＡＴＩＡの入力は、電流を受け取らなくてもよく、その結果ＡＴＩＡ４２’’’’での入力ＤＣ電圧は、入力電流がない場合には入力ＤＣバイアスに等しいことになる。
【００７９】
上側電子コントローラ５４’’’’は、電子差動増幅器４８の入力ＤＣ電圧バイアスの制御を可能にする。特に、上側電子コントローラ５４’’’’の第１の入力は、基準電圧ＶＲＥＦに接続し、上側電子コントローラ５４’’’’の第２の入力は、ＡＴＩＡ４２’’’’の主要電子差動増幅器４８の上側入力に接続する。この接続構成に起因して、上側電子コントローラ５４’’’’は、その内部電子差動増幅器９４がその入力間の電圧差をゼロへ駆動するので、ＡＴＩＡ４２’’’’のＤＣ入力電圧を基準電圧ＶＲＥＦの方へ進展させることができる。すなわち、上側電子コントローラ５４’’’’は、ＡＴＩＡ４２’’’’の主要電子差動増幅器４８のＤＣ入力電圧（複数可）を任意の事前選択基準ＤＣ電圧ＶＲＥＦに進展させることができる。
【００８０】
上側電子コントローラ５４’’’’は、図５Ａ〜５ＢのＡＴＩＡ４２’’’での電子コントローラ５４’’’のそれぞれ上側および下側部分による上側および下側分散帰還線５０’’’、５２’’’の個別制御と対照的に、上側および下側分散帰還線５０’’’’、５２’’’’の両方を制御する。特に、上側電子コントローラ５４’’’’は、上側および下側分散電気的帰還線５０’’’’、５２’’’’でのＤＣ電流ソース２およびＤＣ電流シンク１への対称的接続を有する。
【００８１】
オプションの電子差動増幅器もしくはバッファ９８は、従来の出力分離をＡＴＩＡ４２’’’’に提供してもよくかつ／または１つもしくは多重の電子増幅の従来段をＡＴＩＡ４２’’’’に提供してもよい。電子差動増幅器またはバッファ９８の各入力は、ＡＴＩＡ４２’’の主要電子差動増幅器４８の出力の対応する１つに接続し、それによってツーエンドまたは差動出力を提供する。
【００８２】
電子オフセット・コントローラ１００は、電子差動増幅器１０２、例えば従来の演算増幅器、および一対の低域通過フィルターＬＰＦを含む。低域通過フィルターＬＰＦの１つは、電子差動増幅器１０２の各入力を電子増幅器またはバッファ９８の差動出力の対応する１つに接続する。電子差動増幅器１０２の１つの出力は、上側分散帰還線５０’’’’のオフセットＤＣ電流シンク（複数可）３の制御またはバイアス入力（複数可）に接続し、下側分散帰還線５２’’’’のオフセットＤＣ電流ソース（複数可）４の制御またはバイアス入力（複数可）に接続する。電子差動増幅器１０２のもう一方の出力は、上側分散帰還線５０’’’’のオフセットＤＣ電流ソース（複数可）４の制御またはバイアス入力（複数可）に接続し、下側分散帰還線５２’’’’のオフセットＤＣ電流シンク（複数可）３の制御またはバイアス入力（複数可）に接続する。それ故に、電子差動増幅器１０２は、上側および下側分散帰還線５０’’’’、５２’’’’でのＤＣ帰還電流を反対の形でシンクし、ソースするようにオフセットＤＣ電流シンクおよびソース３、４を駆動する。実際は、電子オフセット・コントローラ１００は、ＡＴＩＡ４２’’’’の出力電圧についての任意のＤＣ電圧差がゼロの方へ向かうまで、オフセットＤＣ電流シンク（複数可）およびソース（複数可）３、４によってソースされ、シンクされるＤＣ電流の大きさを自動的に調節する。
【００８３】
それ故に、電子オフセット・コントローラ１００は、上側および下側線形電気的帰還線９０、９２での帰還電流の大きさおよび／または符号間の非対称を補償するためにオフセットＤＣシンクおよびソース３、４での電流レベルを自動的に設定することができる。入力デバイス４４、４６は、異なる電流を出力する可能性があるけれども、上側電子コントローラ５４’’’’は、上側および下側電流シンクおよびソース１、２を同じ形で構成するので、そのような非対称が、生じることもある。そのような非対称はまた、主要電子差動増幅器４８のダブルエンド挙動でのおよび／またはオプションの電子差動増幅器もしくはバッファ９８でのオフセット非対称に起因して生じることもある。
【００８４】
図５Ａ〜５Ｃは、ＤＣ出力電圧の安定最終値がＤＣ入力電圧の安定最終値に等しい実施形態を例示したが、当業者は、本明細書での開示に基づいてＤＣバイアス電圧の前記安定最終値が異なる代替ＡＴＩＡを容易に作製できることになる。例えば、そのような代替ＡＴＩＡは、並列の固定もしくは一定ＤＣ電流シンク（複数可）および／または固定もしくは一定ＤＣ電流ソース（複数可）をＡＴＩＡ４２’’’でのその各対の１つのＤＣ電流シンク１ならびにその各対の１つのＤＣ電流ソース２に追加することによって製作されることもある。特に、そのような固定ＤＣ電流シンクおよびソースは、代替ＡＴＩＡがその安定入力ＤＣ電圧ＶＸと異なる安定出力ＤＣ電圧ＶＹを有することを除いて、図５Ａ〜５Ｂで示されるようなＡＴＩＡ４２’’’の構造を実質的に有するそのような代替ＡＴＩＡの構築を可能にすることもある。
【００８５】
当業者はまた、ＶＸおよびＶＹのＤＣ成分が事前選択量だけ異なる安定最終状態を可能にするために、同様の変更が、図６のＡＴＩＡ４２’’’’になされ得ることも理解することになる。
【００８６】
図７は、ＡＴＩＡを動作させる方法８０を例示し、この方法は、電圧バイアスの動的制御を実施する。方法８０は、上で論じたような、図２〜４、５Ａ〜５Ｃ、および６で例示されるＡＴＩＡ４２、４２’’、４２’’’、４２’’’’を動作させるために行われてもよい。ＡＴＩＡは、電子増幅器、例えば図２〜３、５Ａ〜５Ｃ、および６の主要電子差動増幅器４８または図４の非差動電子増幅器４８’’、ならびに電子増幅器の出力をその入力に接続する１つまたは複数の線形電気的帰還線、例えば図２〜７の線形電気的帰還線を有する。
【００８７】
方法８０は、ＤＣ成分を有する電流を線形電気的帰還線に入力するステップを含む（ステップ８２）。線形電気的帰還線は、電子増幅器の出力を電子増幅器の入力に反転される形で接続する。
【００８８】
本方法は、受け取るステップ８２に応答して、第１および第２の電気的ソースを調節して、電流のＤＣ成分をソース間の線形電気的帰還線のセグメントから実質的に除去するステップを含む（ステップ８４）。除去するステップ８４は、線形電気的帰還線上のノードで入力電流の前記ＤＣ成分をソースまたはシンクするために一組のＤＣ電流シンクまたはＤＣ電流ソースを動作させるステップを含んでもよい。いくつかの実施形態では、動作させるステップは、電子増幅器の入力で電圧を受け取るように接続される１つの入力を有しかつ基準電圧を受け取るように接続される第２の入力を有する電子増幅器を使って前記ソースのための１つまたは複数の制御電圧を発生させるステップを含んでもよい。調節するステップは、ＤＣ成分がセグメント上に実質的にないようにＤＣ成分をソースまたはシンクするために一対のＤＣ電流ソースおよび／またはＤＣ電流シンクにバイアスをかけるステップをさらに含んでもよい。
【００８９】
ＡＴＩＡが、ツーエンド駆動のために構成される場合、方法８０は、別の組の電気的ソース、例えば図２〜３の可変ＤＣ電圧ソース６８、７０または図５Ａ〜５Ｃならびに６のＤＣ電流ソース２および／もしくはＤＣ電流シンクを調節するステップを含んでもよい。
【００９０】
本開示、図面、および特許請求の範囲から、本発明の他の実施形態は、当業者には明らかであろう。
【図１】
0005711222.tif 000002
【図２】
0005711222.tif 000003
【図３】
0005711222.tif 000004
【図４】
0005711222.tif 000005
【図５Ａ】
0005711222.tif 000006
【図５Ｂ】
0005711222.tif 000007
【図５Ｃ】
0005711222.tif 000008
【図６】
0005711222.tif 000009
【図７】
0005711222.tif 000010